(57)【特許請求の範囲】
【請求項１】
縦方向および横方向と、身体側内面および着衣側外面と、前記縦方向に連なる前ウエスト域、後ウエスト域および前記前後ウエスト域間に位置するクロッチ域と、前記前後ウエスト域を画成するウエストベルト部材と、前記前後ウエスト域の一部および前記クロッチ域を画成するクロッチ部材とを含み、前記ウエストベルト部材は、前記横方向に延びて前記縦方向に対向するウエスト側端縁とクロッチ側端縁とを含み、前記ウエストベルト部材には前記横方向に延びて前記縦方向に離間する複数条のウエスト弾性体が伸長状態で取り付けられ、前記ウエストベルト部材の一部で前記ウエスト弾性体の収縮力が作用しない非収縮領域を形成する着用物品において、
前記ウエストベルト部材は、身体側内面を形成する内面シートと、着衣側外面を形成する外面シートと、前記内面シートおよび前記外面シートの間に位置する前記ウエスト弾性体とを含み、
前記非収縮領域は、前記ウエスト側端縁およびクロッチ側端縁の少なくともいずれか一方に沿って形成され、前記非収縮領域では、前記内外面シートが接合されることがなく、
前記非収縮領域が形成された前記ウエスト側端縁および前記クロッチ側端縁には、前記内外面シートを接合する接合部を形成することを特徴とする前記着用物品。
【請求項２】
前記非収縮領域は、前記ウエストベルト部材と前記クロッチ部材とが重なる領域に形成される請求項１記載の着用物品。
【請求項３】
前記ウエストベルト部材は、前記内外面シートの間に配置された熱融着性シートを含み、前記接合部は前記熱融着性シートを介して熱融着により形成される請求項１または２記載の着用物品。
【請求項４】
前記熱融着性シートの着衣側には、グラフィックが形成され、前記非収縮領域の前記外面シートを介して前記グラフィックが視認可能となる請求項３記載の着用物品。
【請求項５】
前記ウエスト弾性体の一部は、前記クロッチ側端縁に沿って延び、前記非収縮領域は、前記クロッチ側端縁に沿って形成され、前記ウエスト弾性体は、前記非収縮領域に位置する部分で切断される請求項１〜４のいずれかに記載の着用物品。
【請求項６】
前記クロッチ部材は、吸液構造体を含む請求項１〜５のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等の着用物品に関する。
【背景技術】
【０００２】
従来、使い捨てのおむつにおいて、ウエストベルトを吸収性本体でつないでプルオン・パンツ型としたものとして、例えば特開２００６−５２５８５８号公報（特許文献１）が公知である。この特許文献１によれば、横方向に延びる前後ウエストベルトによって前後ウエスト域を形成し、これら前後ウエストベルトを縦方向に延びる吸収性本体でつないでクロッチ域を形成している。前後ウエストベルトは、身体側内面に位置する内層シートと、着衣側外面に位置する外層シートとを含み、これら内外層シートの間に、横方向に延びる複数の弾性部材が前後ウエストベルトの上端から下端に亘って伸長状態で取り付けられている。さらに、内外層シートの間にはグラフィックがプリントされたパッチを有している。
【０００３】
上記のようなおむつにおいて、グラフィックが良く見えるように弾性部材の収縮力をグラフィックがプリントされた部分では作用しないようにしている。すなわち、弾性部材は内外層シートの間において接着剤によって接合されるようにしているが、グラフィックがプリントされた部分では接着剤を塗布せず、この接着剤の非塗布領域において弾性部材を切断することとしている。したがって、非塗布領域では、弾性部材の収縮力が作用せず、皺によってグラフィックが見え難くなるのを抑制することができる。
【特許文献１】特開２００６−５２５８５８号公報
【発明の開示】
【発明が解決しようとする課題】
【０００４】
前後ウエストベルトでは、内外層シートの間に塗布した接着剤によって、弾性部材を接合するとともに、内外層シートをも互いに接合していた。しかし、非接合領域では接着剤を塗布していないので、内外層シートも接合されない。内外層シートが接合されないので、これら内外層シートが非接合領域で開口し、この開口から切断した弾性部材がはみ出したり、内外層シートの間に着用者が引っかかったりする可能性がある。
【０００５】
この発明では、前後ウエストベルトに弾性部材の収縮力が作用しない非収縮領域を形成するとともに、非収縮領域から弾性部材がはみ出したり、非収縮領域に引っかかったりすることがない着用物品を提供することを課題とする。
【課題を解決するための手段】
【０００６】
この発明は、縦方向および横方向と、身体側内面および着衣側外面と、前記縦方向に連なる前ウエスト域、後ウエスト域および前記前後ウエスト域間に位置するクロッチ域と、前記前後ウエスト域を画成するウエストベルト部材と、前記前後ウエスト域の一部および前記クロッチ域を画成するクロッチ部材とを含み、前記ウエストベルト部材は、前記横方向に延びて前記縦方向に対向するウエスト側端縁とクロッチ側端縁とを含み、前記ウエストベルト部材には前記横方向に延びて前記縦方向に離間する複数条のウエスト弾性体が伸長状態で取り付けられ、前記ウエストベルト部材の一部で前記ウエスト弾性体の収縮力が作用しない非収縮領域を形成する着用物品の改良に関わる。
【０００７】
この発明は前記着用物品において、前記ウエストベルト部材は、身体側内面を形成する内面シートと、着衣側外面を形成する外面シートと、前記内面シートおよび前記外面シートの間に位置する前記ウエスト弾性体とを含む。前記非収縮領域は、前記ウエスト側端縁およびクロッチ側端縁の少なくともいずれか一方に沿って形成され、前記非収縮領域では、前記内外面シートが接合されることがない。前記非収縮領域が形成された前記ウエスト側端縁および前記クロッチ側端縁には、前記内外面シートを接合する接合部を形成することを特徴とする。
【０００８】
好ましい実施態様のひとつとして、前記ウエストベルト部材と前記クロッチ部材とが重なる領域に形成される。
【０００９】
好ましい他の実施態様のひとつとして、前記ウエストベルト部材は、前記内外面シートの間に配置された熱融着性シートを含み、前記接合部は前記熱融着性シートを介して熱融着により形成される。
【００１０】
好ましい他の実施態様のひとつとして、前記熱融着性シートの着衣側には、グラフィックが形成され、前記非収縮領域の前記外面シートを介して前記グラフィックが視認可能となる。
【００１１】
好ましい他の実施態様のひとつとして、前記ウエスト弾性体の一部は、前記クロッチ側端縁に沿って延び、前記非収縮領域は、前記クロッチ側端縁に沿って形成され、前記ウエスト弾性体は、前記非収縮領域に位置する部分で切断される。
【００１２】
好ましい他の実施態様のひとつとして、前記クロッチ部材は、吸液構造体を含む。
【発明の効果】
【００１３】
ウエストベルト部材は、身体側内面を形成する内面シートと、着衣側外面を形成する外面シートとを含む。ウエストベルト部材の一部でウエスト弾性体の収縮力が作用しない非収縮領域を形成し、非収縮領域のウエスト側端縁またはクロッチ側端縁には、内外面シートを接合する接合部を形成することとしたので、非収縮領域において内外面シートが開口するのを防止することができる。開口が形成されないので、切断したウエスト弾性体が飛び出すのを防止することができ、さらに、着用者等が引っかかったりするのを防止することができる。
【００１４】
非収縮領域は、ウエストベルト部材とクロッチ部材とが重なる領域に形成されることとしたので、クロッチ部材にもウエスト弾性体の収縮力を作用させないようにすることができる。したがって、クロッチ部材に皺が発生するのを抑制することができる。
【００１５】
ウエストベルト部材は、内外面シートの間に熱融着性シートを含み、接合部は熱融着性シートを介して熱融着によって形成されることとしたので、接合部の形成に別途接着剤等を用いる必要がない。したがって、コストの低減が可能となり、接着剤の塗布工程なく簡便に接合部を形成することができる。
【００１６】
熱融着性シートの着衣側にはグラフィックが形成され、非収縮領域の外面シートを介してグラフィックが視認可能となるようにしている。非収縮領域にグラフィックが形成されているので、グラフィックが皺の形成によって見難くなるのを抑制することができる。
【００１７】
ウエスト弾性体の一部はクロッチ側端縁に沿って取り付けられるので、クロッチ域側において着用者への密着性を向上させることができ、体液等の漏れを抑制することができる。非収縮領域はクロッチ側端縁に沿って形成されることとしたので、非収縮領域とクロッチ側端縁との間でウエスト弾性体の収縮力が作用することがない。したがって、ウエストベルト部材とクロッチ部材との間で皺が発生することがない。ウエスト弾性体は、非収縮領域に位置する部分で切断されることとしたので、簡便にウエスト弾性体の収縮力を作用させないようにすることができる。また、ウエスト弾性体を取り付けた後に、これを切断して収縮力を作用させないようにするので、クロッチ側端縁に沿って一部のウエスト弾性体が取り付けられた場合でも、このクロッチ側端縁に沿って容易に非収縮領域を形成することができる。
【００１８】
クロッチ部材は、吸液構造体を含むこととしたので、吸液構造体に非収縮領域が重なることによって、吸液構造体に皺が形成されることがなく、体液等の漏れを抑制することができる。
【発明を実施するための最良の形態】
【００１９】
着用物品として使い捨ておむつを用い、この発明の一例を説明する。
【００２０】
図１はいわゆるプルオン・パンツ型のおむつが着用されたときの状態を示したものであり、説明のためにその一部を切り欠いている。図示したように、おむつ１は前ウエスト域２、後ウエスト域３、前後ウエスト域２，３の間に位置するクロッチ域４を含む。前ウエスト域２からクロッチ域４を介して後ウエスト域３へと連なる方向を縦方向Ｙとし、縦方向Ｙに直交する方向を横方向Ｘとしている。
前後ウエスト域２，３は、それぞれ前後ウエストベルト部材５，６によって形成され、クロッチ域４はクロッチ部材７によって形成されている。
【００２１】
前後ウエストベルト部材５，６は、横方向Ｘに対向し縦方向Ｙに延びる前側縁部８および後側縁部９を含む。これら前後側縁部８，９が対向し、縦方向Ｙに間欠的に並ぶ複数の接合部１０において接合されることによって、環状のウエスト開口１１が形成される。
前ウエストベルト部材５は、身体側内面を形成する内面シート１２と着衣側外面を形成する外面シート１３と、内外面シート１２，１３の間に位置する熱融着シート１６とを含む。後ウエストベルト部材６は、身体側内面を形成する内面シート１４と着衣側外面を形成する外面シート１５と、内外面シート１４，１５の間に位置する熱融着シート１７とを含む。熱融着シート１６，１７の着衣側にはその横方向Ｘのほぼ中央にグラフィックが形成され、このグラフィックが外面シート１３，１５を介して視認可能とされている。
【００２２】
熱融着シート１６，１７と内面シート１２，１４との間には複数条のウエスト弾性体１８を取り付けている。このウエスト弾性体１８は、縦方向Ｙに離間して横方向Ｘに延びるとともに伸長状態で取り付けられ、内面シート１２,１４または熱融着シート１６，１７の少なくともいずれか一方に図示しない接着剤で接合されている。前後ウエストベルト部材５，６には、縦方向Ｙに対向し横方向Ｘに延びるウエスト側端縁１９，２０およびクロッチ側端縁２１，２２がそれぞれ形成され、ウエスト弾性体１８はウエスト側端縁１９，２０からクロッチ側端縁２１，２２に亘って取り付けられている。ウエスト弾性体１８の縦方向Ｙの図面上部に位置するものは、ウエスト側端縁１９，２０に沿って取り付けられ、縦方向Ｙの図面下部に位置するものは、クロッチ側端縁２１，２２に沿って取り付けられている。すなわち、ウエスト弾性体１８は、ウエスト側端縁１９，２０からクロッチ側端縁２１，２２に亘って取り付けられている。ただし、熱融着シート１６，１７のグラフィックに重なる部分においては、ウエスト弾性体１８は位置していない。
【００２３】
前後ウエストベルト部材５，６の間には、これら前後ウエストベルト部材５，６を縦方向Ｙにつなぐようにクロッチ部材７が形成されている。すなわちクロッチ部材７の前端縁７ａが前ウエストベルト部材５に接合し、後端縁７ｂが後ウエストベルト部材６に接合される。このように前後ウエストベルト部材５，６とクロッチ部材７を接合することによって、前後ウエストベルト部材５，６のクロッチ側端縁２１，２２と、クロッチ部材７の両側縁２３とによってレッグ開口２４が形成される。
【００２４】
図２は、図１のおむつ１の接合部１０の接合を解いて、各弾性体の収縮力が作用しないようにして平面にしたものであり、説明のためその一部を破断している。図３は図２のＩＩＩ−ＩＩＩ線端面図である。図示したように、前ウエストベルト部材５の外面シート１３は、ウエスト側端縁１９において着用者側に折り返され、折り返し部２５を形成している。折り返し部２５によってクロッチ部材７の前端縁７ａが被覆される。同様に後ウエストベルト部材６の外面シート１５もウエスト側端縁２０で折り返され折り返し部２６を形成し、この折り返し部２６によってクロッチ部材７の後端縁７ｂを被覆している。
【００２５】
クロッチ部材７は、吸液構造体２７を含む。吸液構造体２７は、フラッフパルプと高吸収性ポリマー粒子との混合物等によって構成される吸液性の芯材２８と、芯材２８を包むティッシュペーパ等の吸液拡散シート２９と、吸液拡散シート２９の身体側をさらに覆う透液性の身体側ライナ３０と、吸液拡散シート２９の着衣側をさらに覆う着衣側アウタ３１とを含む。さらに吸液拡散シート２９の着衣側と着衣側アウタ３１との間には、透湿性のプラスチックフィルムによって構成される漏れ防止シート３２が配置される。漏れ防止シート３２は、芯材２８とほぼ同じ大きさか、それよりも大きく、芯材２８に吸収された体液が漏れるのを防止している。このような吸液構造体２７を含むクロッチ部材７の前後端縁７ａ，７ｂを外面シート１４，１５の折り返し部２５，２６で覆うことによって、芯材２８がこぼれるのを防止している。
身体側ライナ３０と着衣側アウタ３１との間には、縦方向Ｙに延びる複数条のレッグ弾性体３３が伸長状態で取り付けられている。
【００２６】
芯材２８およびこれを包む吸液拡散シート２９は、その縦方向Ｙのほぼ中央において横方向Ｘの内側に向かって凸となるように湾曲している。このような形状にすることによって、おむつ１を着用したときにおむつ１が着用者の脚周りにフィットする。着用時には芯材２８の横方向Ｘの両側から延出した身体側ライナ３０および着衣側アウタ３１が身体側に立ち上がって、漏れを防止する壁を形成する。なお、クロッチ部材７の身体側に漏れ防止カフを別途形成することによって、漏れを防止する壁を形成することもできる。
【００２７】
上記のようなおむつ１において、図１に示したように、前後ウエストベルト部材５，６には、ウエスト弾性体１８が縦方向Ｙに亘って取り付けられ、このウエスト弾性体１８は、熱融着シート１６，１７のグラフィックが形成された部分に重ならないようにしている。すなわち、ウエスト弾性体１８は、グラフィックが形成された部分ではその収縮力を作用させないようにしている。このように、ウエスト弾性体１８の収縮力を部分的に作用させない非収縮領域３５を形成している。
【００２８】
非収縮領域３５は、前後ウエストベルト部材５，６の横方向Ｘの中央部分において、内外面シート１２，１３および１４，１５の間に接着剤を塗布せず、この非収縮領域３５において伸長状態で取り付けたウエスト弾性体１８を切断することによって形成される。すなわち、内外面シート１２，１３および１４，１５においては、ウエスト側端縁１９，２０近傍および前後側縁部８，９近傍で接着剤が塗布され、クロッチ側端縁２１，２２近傍であって、横方向Ｘの中央部分では接着剤が塗布されず、非収縮領域３５を形成している。
このような非収縮領域３５においては、内外面シート１２，１３および１４，１５が接合されることがなく、クロッチ側端縁２１，２２においても非接合となっている。そこで、クロッチ側端縁２１，２２では、ヒートシールによって内外面シート１２，１３および１４，１５を接合し、接合部３６が形成されるようにしている。
【００２９】
上記のような非収縮領域３５を有するおむつ１においては、この非収縮領域３５では接着剤が塗布されないので、この非収縮領域３５の剛性が高くなることがなく、着用者に対して柔軟性を維持することができる。また非収縮領域３５にウエスト弾性体１８の収縮力が作用しないので、この領域において皺の発生を抑制することができる。皺が発生しないので、グラフィックが見え難くなるということがない。非収縮領域３５には、吸液構造体２７が重なるように接合されているので、この重なった部分においては、吸液構造体２７にもウエスト弾性体１８の収縮力が作用せず、吸液構造体２７に皺が形成されるのを抑制することができる。したがって、吸液構造体２７の皺によって体液が漏れるのを防止することができる。
【００３０】
非収縮領域３５のクロッチ側端縁２１，２２には接合部３６を形成しているので、内外面シート１２，１３および１４，１５がクロッチ域４に向かって開口することがない。したがって、内外面シート１２，１３および１４，１５の間から、切断したウエスト弾性体１８の端部がはみ出したり、これら間に着用者等が引っかかったりするのを防止できる。
また、クロッチ側端縁２１，２２に沿ってウエスト弾性体１８の一部が取り付けられているので、開口ができた場合には、特にこの弾性体１８の端部がはみ出しやすいが、これを防止することができる。また、クロッチ側端縁２１，２２に沿ってウエスト弾性体１８を取り付けることによって、非収縮領域３５を形成する際には、クロッチ側端縁２１，２２に接着剤を塗布することができないから、クロッチ側端縁２１，２２で開口が形成されるという問題が顕著になる。しかし、この場合であっても接合部３６を形成することによって、開口が形成されることがない。
【００３１】
クロッチ側端縁２１，２２に沿って取り付けられたウエスト弾性体１８を切断して非収縮領域３５とすることによって、クロッチ部材７との境界部分での皺の発生を抑制することができる。クロッチ部材７と前後ウエストベルト部材５，６とをこの境界部分で接合する場合には、皺による接合強度の低下を抑制することができる。また、この境界部分で皺が発生すると、クロッチ部材７との対比によってより皺が目立つことにもなり得るが、これを防止することもできる。
【００３２】
クロッチ側端縁２１，２２に沿ってウエスト弾性体１８を取り付ける理由としては、前後ウエストベルト部材５，６のクロッチ域４側端部においても着用者の肌に対して密着させることができるようにすることが挙げられる。このようにクロッチ域４側で着用者の肌に密着させることによって、尿などの体液がおむつ１外に漏れるのを防止することができる。他の理由としては、クロッチ側端縁２１，２２の強度を増加させることが挙げられる。クロッチ側端縁２１，２２は着用者の肌や着衣による摩擦を受けやすいが、ウエスト弾性体１８を取り付けることによって、摩擦によって破れてしまうのを抑制することができる。クロッチ側端縁２１，２２に沿って取り付けられるウエスト弾性体１８は、クロッチ側端縁２１，２２からウエスト側端縁１９，２０側に向かって約１５ｍｍ以内の位置に形成されることが望ましい。
【００３３】
非収縮領域３５は、伸長状態で取り付けられたウエスト弾性体１８を切断するだけで形成することができ、その形成が容易である。また、このように切断するだけでよいので、クロッチ側端縁２１，２２にウエスト弾性体１８を取り付けた場合にも、簡便に非収縮領域３５を形成することができる。
内外面シート１２，１３および１４，１５との間には熱融着シート１６，１７を形成することとしているので、別途接着剤を塗布することなく、ヒートシールによって容易に接合部３６を形成することができる。ただし、ヒートシールに限定することなく、ソニックシールによって接合しても良いし、接着剤を塗布して内外面シート１２，１３および１４，１５を接着しても良い。
【００３４】
前後ウエストベルト部材５，６のいずれにもその中央部分にグラフィックが形成されるようにしている。したがって、前後ウエスト域２，３のいずれにおいてもグラフィックを視認することができる。ただし、いずれか一方にのみグラフィックが形成されるようにしてもよいし、グラフィックが形成されなくてもよい。また、非収縮領域３５もグラフィックの形成に合わせて前後ウエストベルト部材５，６に形成されるようにしているが、いずれか一方のみに形成されるようにしてもよく、グラフィックが形成されるか否かにかかわらず、非収縮領域３５の形成が可能である。
【００３５】
接合部３６は、クロッチ側端縁２１，２２からウエスト側端縁１９，２０側に向かって約１０ｍｍ以内の位置に形成されることが望ましい。このような位置関係にすることによって、クロッチ側端縁２１，２２において内外面シート１２，１３および１４，１５が接合されない部分を少なくすることができる。
また、クロッチ側端縁２１，２２に接合部３６が形成されるようにしているが、非収縮領域３５がウエスト側端縁１９，２０に形成された場合には、接合部３６もウエスト側端縁１９，２０に形成されるようにすることができる。
この実施形態ではプルオン・パンツ型のおむつについて説明しているが、いわゆるオープン型のおむつに適用することも可能である。
【図面の簡単な説明】
【００３６】
【図１】おむつの斜視図。
【図２】おむつの展開平面図。
【図３】図２のＩＩＩ−ＩＩＩ線端面図
【符号の説明】
【００３７】
１    おむつ
５    前ウエストベルト部材
６    後ウエストベルト部材
７    クロッチ部材
１２    内面シート
１３    外面シート
１４    内面シート
１５    外面シート
１６    熱融着シート
１７    熱融着シート
１８    ウエスト弾性体
１９    ウエスト側端縁
２０    ウエスト側端縁
２１    クロッチ側端縁
２７    吸液構造体
３５    非収縮領域
３６    接合部
【図１】
0005405761.tif 000002
【図２】
0005405761.tif 000003
【図３】
0005405761.tif 000004